(57)【要約】      （修正有）【課題】撮影の条件に応じて、ＲＡＷ画像データを損失の無い複数の記録方法のいずれかを用いて記録する撮像装置を提供する。【解決手段】撮像装置１００は、撮像部で得たＲＡＷ画像データをロスレス符号化またはロッシー符号化する符号化部と、ユーザが設定した撮影に係る条件に応じて記録モードを判定する判定部と、判定部の判定に応じて符号化部を制御するとともに得られた符号化データの記録媒体への記録制御を行う制御部とを有する。制御部は、記録モードが第１のモードである場合、ＲＡＷ画像データを符号化部によりロスレス符号化し、第１の記録媒体に記録し、記録モードが第２のモードである場合、ＲＡＷ画像データを符号化部によりロッシー符号化し、第１の記録媒体に記録するともに、符号化データを復号して得られる復号画像データとＲＡＷ画像データとの差分を表す差分画像データを符号化部によりロスレス符号化し、第２の記録媒体に記録する。【選択図】図１
2020077918.tif 000002
【特許請求の範囲】
【請求項１】
撮像手段を有し、複数の記録媒体の装着が可能であって、前記撮像手段による撮像で得た画像データを前記記録媒体に記録する撮像装置であって、
前記撮像手段で得たＲＡＷ画像データを、ロスレス符号化またはロッシー符号化する符号化手段と、
ユーザが設定した撮影に係る条件に応じて、記録モードを判定する判定手段と、
該判定手段の判定に応じて前記符号化手段を制御するとともに、得られた符号化データの記録媒体への記録制御を行う制御手段とを有し、
前記制御手段は、
前記判定手段で判定した記録モードが第１のモードである場合、前記撮像手段で得たＲＡＷ画像データを前記符号化手段によりロスレス符号化し、得られた符号化データを第１の記録媒体に記録し、
前記判定手段で判定した記録モードが第２のモードである場合、前記撮像手段で得たＲＡＷ画像データを前記符号化手段によりロッシー符号化し、得られた符号化データを前記第１の記録媒体に記録するとともに、当該符号化データを復号して得られる復号画像データと前記ＲＡＷ画像データとの差分を表す差分画像データを前記符号化手段によりロスレス符号化し、得られた符号化データを第２の記録媒体に記録する
ことを特徴とする撮像装置。
【請求項２】
前記符号化手段は、前記ＲＡＷ画像データから、単一成分のみ構成される複数のプレーンに変換し、各プレーンに対して離散ウェーブレット変換、量子化、エントロピー符号化を行い、
前記制御手段は、ロスレス符号化する場合には前記符号化手段における前記量子化で用いる量子化ステップを１にする
ことを特徴とする請求項１に記載の撮像装置。
【請求項３】
前記判定手段は、ユーザが設定した撮影に係る条件に応じた記録モードの１つの場合には当該１つの記録モードをユーザに通知するための表示を行い、ユーザが設定した撮影に係る条件に応じた記録モードの複数の場合には、いずれにするかを選択させるための選択肢を含むメニューの表示を行うことを特徴とする請求項１又は２に記載の撮像装置。
【請求項４】
前記判定手段は、ロスレス符号化が選択され、
撮影モードとして動画の撮影が指定された場合、或いは、コマ速保証の静止画の連写が指定された場合には、前記記録モードの選択肢として前記第２のモードの１つを判定し、
撮影モードとして１枚の静止画の撮影が指定された場合、或いは、コマ速保証の静止画の連写が指定された場合には、前記記録モードの選択肢として前記第１のモードと前記第２のモードを判定する
ことを特徴とする請求項３に記載の撮像装置。
【請求項５】
前記判定手段は、コマ速保証の静止画の連写が指定された場合は、当該コマ速保証の元で要求される単位時間当たりデータ量と予め設定された閾値とを比較し、前記データ量が前記閾値以下の場合には、前記記録モードの選択肢として前記第１のモードを選択肢に加える
ことを特徴とする請求項４に記載の撮像装置。
【請求項６】
前記制御手段は、
前記判定手段で判定した記録モードが第３のモードである場合、前記撮像手段で得たＲＡＷ画像データを前記符号化手段によりロッシー符号化し、得られた符号化データを前記第１の記録媒体に記録するとともに、当該符号化データを復号して得られる復号画像データと前記ＲＡＷ画像データとの差分を表す差分画像データを前記符号化手段によりロスレス符号化し、得られた符号化データを前記第１の記録媒体に記録し、
前記判定手段が、
撮影モードとして１枚の静止画の撮影が指定された場合、或いは、コマ速保証の静止画の連写が指定された場合には、前記記録モードの選択肢として前記第３のモードを加える
ことを特徴とする請求項４に記載の撮像装置。
【請求項７】
前記制御手段は、前記記録モードが前記第２のモードである場合であって、差分画像データが差異無しを示す場合には、前記符号化手段によりロスレス符号化を止めて、差分画像データの符号化データの記録を行わない
ことを特徴とする請求項１乃至６のいずれか１項に記載の撮像装置。
【請求項８】
更に、装着された記録媒体の数を検出する検出手段を有し、
前記判定手段が、前記検出手段が検出した記録媒体の数が１つの場合、複数の記録媒体に記憶する記録モードを前記選択肢から除外する
ことを特徴とする請求項３又は４に記載の撮像装置。
【請求項９】
撮像手段を有し、複数の記録媒体の装着が可能であって、前記撮像手段による撮像で得た画像データを前記記録媒体に記録する撮像装置の制御方法であって、
前記撮像手段で得たＲＡＷ画像データを、ロスレス符号化またはロッシー符号化する符号化工程と、
ユーザが設定した撮影に係る条件に応じて、記録モードを判定する判定工程と、
該判定工程の判定に応じて前記符号化工程を制御するとともに、得られた符号化データの記録媒体への記録制御を行う制御工程とを有し、
前記制御工程は、
前記判定工程で判定した記録モードが第１のモードである場合、前記撮像手段で得たＲＡＷ画像データを前記符号化工程によりロスレス符号化し、得られた符号化データを第１の記録媒体に記録し、
前記判定工程で判定した記録モードが第２のモードである場合、前記撮像手段で得たＲＡＷ画像データを前記符号化工程によりロッシー符号化し、得られた符号化データを前記第１の記録媒体に記録するともに、当該符号化データを復号して得られる復号画像データと前記ＲＡＷ画像データとの差分を表す差分画像データを前記符号化工程によりロスレス符号化し、得られた符号化データを第２の記録媒体に記録する
ことを特徴とする撮像装置の制御方法。
【請求項１０】
撮像手段を有するコンピュータが、読み込み実行することで、前記コンピュータに、請求項９に記載の制御方法の各工程を実行させるためのプログラム。
【発明の詳細な説明】
【技術分野】
【０００１】
本発明は、撮像装置、特に撮像した動画又は静止画のＲＡＷ画像データの記録技術に関するものである。
【背景技術】
【０００２】
通常、撮像装置は、撮像センサによって撮像された生の画像情報（ＲＡＷ画像）をデベイヤ処理（デモザイク処理）し、輝度と色差から成るデータに変換して、各データについてノイズ除去、光学的な歪補正、画像の適正化などの所謂現像処理を行っている。そして、撮像装置は、現像処理された輝度及び色差データを圧縮符号化して、記録媒体に記録する。
【０００３】
一方で、ＲＡＷ画像を記録できる撮像装置も存在する。ＲＡＷ画像は記録に必要なデータ量が膨大になるが、オリジナル画像に対する補正や劣化を最低限に抑えられ、撮影後の高度な編集が可能であるので、上級者によって好んで使われている。
【０００４】
また、近年、ＲＡＷ画像の記録は、静止画のみならず、動画にも適用されている。ＲＡＷ画像の圧縮方式は、従来の圧縮方式であるＪＰＥＧ２０００のように、符号化によるブロック歪が発生しないよう、ブロック単位にＤＣＴをかけて圧縮せずに、ウェーブレット変換等の周波数変換を用いて、周波数帯であるサブバンドに分解し、各サブバンドを圧縮する方式が従来から適していると考えられる。
【０００５】
ＲＡＷ画像の符号化の方法として、以下の２通りの方法が考えられる。
・第一の方法：情報の損失の無いロスレス符号化を行う方法
・第二の方法：情報の損失があるロッシー符号化を行う方法
上記第一の方法は、情報の損失が無いが、一方で情報量が多く、符号量が多くなってしまい、記録媒体への転送帯域や容量を圧迫するという問題がある。また、入力されるＲＡＷ画像によって、圧縮効率が異なり、符号量が一定にならない。特に、高周波成分を多く含む複雑なＲＡＷ画像は、符号量が多く発生してしまう傾向がある。
【０００６】
第二の方法は、情報の損失はあるものの、情報量が削減されており、符号量が少ないという利点がある。また、量子化により、符号量を調整することができるという利胆もある。
【０００７】
近年の撮像装置の撮像センサの解像度（撮像可能な画素数）が増加しており、扱う情報量が膨大に増えたため、記録媒体への転送レートがボトルネックの１つになっている。そのため、第一の方法で、ＲＡＷ画像を動画や静止画を連写で記録する場合、ＲＡＷ符号化データの記録媒体への転送が間に合わないといった問題がある。
【０００８】
損失の無い情報を記録するため、情報の損失があるロッシー符号化と、符号化されたデータと入力されるＲＡＷ画像の差分である残余データを別途符号化し記録可能な構成は、例えば特許文献１に記載されている。
【先行技術文献】
【特許文献】
【０００９】
【特許文献１】特表２０１１−５０８４９７号公報
【発明の概要】
【発明が解決しようとする課題】
【００１０】
しかしながら、上記従来技術の構成では、記録媒体への転送レートが不足している場合は有効であるが、転送レートが足りている場合でも２種類の符号化データを生成してしまい、データの取り回しが悪いといった問題がある。
【００１１】
本発明は上記の問題点に鑑みなされたものであり、撮影の条件に応じて、ＲＡＷ画像データの損失の無い符号化データの複数の記録方法のいずれかを用いて記録する技術を提供用とするものである。
【課題を解決するための手段】
【００１２】
この課題を解決するため、例えば本発明の撮像装置は以下の構成を備える。すなわち、
撮像手段を有し、複数の記録媒体の装着が可能であって、前記撮像手段による撮像で得た画像データを前記記録媒体に記録する撮像装置であって、
前記撮像手段で得たＲＡＷ画像データを、ロスレス符号化またはロッシー符号化する符号化手段と、
ユーザが設定した撮影に係る条件に応じて、記録モードを判定する判定手段と、
該判定手段の判定に応じて前記符号化手段を制御するとともに、得られた符号化データの記録媒体への記録制御を行う制御手段とを有し、
前記制御手段は、
前記判定手段で判定した記録モードが第１のモードである場合、前記撮像手段で得たＲＡＷ画像データを前記符号化手段によりロスレス符号化し、得られた符号化データを第１の記録媒体に記録し、
前記判定手段で判定した記録モードが第２のモードである場合、前記撮像手段で得たＲＡＷ画像データを前記符号化手段によりロッシー符号化し、得られた符号化データを前記第１の記録媒体に記録するとともに、当該符号化データを復号して得られる復号画像データと前記ＲＡＷ画像データとの差分を表す差分画像データを前記符号化手段によりロスレス符号化し、得られた符号化データを第２の記録媒体に記録することを特徴とする。
【発明の効果】
【００１３】
本発明によれば、撮影の条件に応じて、ＲＡＷ画像データの損失の無い符号化データの複数の記録方法のいずれかを用いて記録することが可能になる。特に、複数の記録方法が選択可能な場合には、ユーザに対して、確認とそのうちの１つの選択を行わせることが可能になる。
【図面の簡単な説明】
【００１４】
【図１】実施形態に係る撮像装置のブロック構成図。
【図２】画素配列、画像データ入力順、画素プレーンを示す図。
【図３】復号装置のブロック構成図。
【図４】符号化部のデータパスを示す概念図。
【図５】復号装置のデータパスを示す概念図。
【図６】撮影モード決定部の処理を示すフローチャート。
【図７】記録モード選択肢通知部の処理を示すフローチャート。
【図８】ユーザインタフェースの階層と表示内容を示す図。
【図９】第２の実施形態の記録モード選択肢通知部の処理を示すフローチャート。
【図１０】第３の実施形態の第三の記録モードの符号化処理のデータパスを示す図。
【図１１】第３の実施形態の第三の記録モードの復号処理のデータパスを示す図。
【図１２】第３の実施形態の記録モード選択肢通知部の処理を示すフローチャート。
【図１３】第３の実施形態のユーザインタフェースの階層と表示内容を示す図。
【図１４】第４の実施形態の記録部の処理のフローチャート。
【図１５】第５の実施形態の撮像装置のブロック構成図。
【図１６】第５の実施形態の記録モード選択肢通知部の処理を示すフローチャート。
【発明を実施するための形態】
【００１５】
以下、添付図面に従って本発明に係る実施形態を詳細に説明する。なお、以下に示す実施形態における構成は一例に過ぎず、本発明は図示された構成に限定されるものではない。
【００１６】
［第１の実施形態］
図１は、第１の実施形態の符号化装置が適用する撮像装置のブロック構成図である。
【００１７】
撮像装置は、離散ウェーブレット変換で生成された各サブバンドの係数を一旦ＤＲＡＭ上に出力せず、内部のＳＲＡＭに保持し、ＳＲＡＭに置かれた各サブバンドの係数を、所定の単位毎に順番に圧縮符号化し、記録するものである。
【００１８】
＜符号化処理
以下、図１を参照し、各構成と動作を説明する。制御部１２０は、ＣＰＵと、当該ＣＰＵが実行する制御プログラムを格納するメモリを含み、符号化制御、記録制御などの撮像装置１００の全体の処理を制御する。
【００１９】
操作部１５０から、ユーザによる撮影動作の開始の指示があると、撮像対象となる被写体の光学像が、撮像光学部１０１に入力され、撮像センサ１０２上に結像する。撮像センサ部１０２は、画素毎に配置される赤、緑、青（ＲＧＢ）のカラーフィルタを透過した光を電気信号に変換する。図２（Ａ）は、撮像センサ部１０２に配置されるカラーフィルタの一例であり、撮像装置１００が扱う画像の画素配列を表している。図２（Ａ）に示すように、赤（Ｒ）、緑（Ｇ）、青（Ｂ）が画素毎にモザイク状に配置されていて、２×２の４画素につき赤１画素（Ｒ）、青１画素（Ｂ）、緑２画素（Ｇ１．Ｇ２）を１セットにして規則的に並べられた構造となっている。このような画素の配置は、一般にベイヤ―配列と呼ばれる。
【００２０】
そして、撮像センサ部１０２は、得られた画素を表す電気信号を内部のＡ／Ｄコンバータによりデジタルデータに変換し、センサ信号処理部１０３に供給する。センサ信号処理部１０３は、画素の修復処理を施す。修復処理には、撮像センサ部１０２における欠落画素や信頼性の低い画素の値に対し、周辺画素値を用いて修復対象の画素を補間したり、所定のオフセット値を減算したりする処理が含まれる。本実施形態では、センサ信号処理部１０３から出力される画像情報を、生（未現像）の画像を意味するＲＡＷ画像もしくはＲＡＷ画像データと称す。
【００２１】
また、センサ信号処理部１０３は、図２（Ｂ）に示すベイヤ配列の入力画像に対し上記修復処理を行う。そしてセンサ信号処理部１０３は、処理後のＲＡＷ画像から、図２（Ｃ）のように、それぞれが単一成分の画素で構成される４つのプレーン｛Ｒプレーン、Ｂプレーン、Ｇ１プレーン、Ｇ２プレーン｝を分離し、入力画像バッファ１０４へ出力する。
【００２２】
画像符号化部１１５は、制御部１２０の指示に従い、入力画像バッファ１０４に格納された、各プレーンの符号化処理を開始する。画像符号化部１１５は、周波数変換部１０５、量子化部１０６、符号化部１０７を有する。
【００２３】
周波数変換部１０５は、入力画像バッファ１０４に保持されたＲＡＷ画像データから得た４つのプレーンを順次入力し、それぞれに対して離散ウェーブレット変換を行い、複数の周波数帯であるサブバンドに変換し、量子化部１０６へ出力する。
【００２４】
また、周波数変換部１０５は、入力画像バッファ１０４に保持された各プレーンと、画像復号部１１６で復号した各プレーンとの差分である差分画像（差分プレーン）を入力し、離散ウェーブレット変換を行い、周波数帯であるサブバンドに変換し、量子化部１０６へと出力する。画像復号部１１６の処理については後述する。
【００２５】
量子化部１０６は、制御部１２０から設定された量子化ステップを用いて、サブバンドの変換係数を量子化し、符号化部１０７へと出力する。
【００２６】
符号化部１０７は、量子化部１０６による量子化後の変換係数を、圧縮符号化し、得られた符号化データを、ＤＲＡＭ１０８と画像復号部１１６へと出力する。本実施形態の符号化部１０７が実行する圧縮符号化は、ゴロム符号化のようなエントロピー符号化を用いて実施することとする。
【００２７】
１フレーム分の符号化が完了すると、記録部１０９は、制御部１２０から通知される記録モードに応じて、属性情報などのヘッダ情報を生成し、ＤＲＡＭ１０８上に出力された各サブバンドの符号化データを第一の記録媒体１１０、または第二の記録媒体１１１へと出力する。ない、記録モードおよび記録部１０９の処理についての詳細は後述する。
【００２８】
画像復号部１１６は、復号部１１２、逆量子化部１１３、周波数逆変換部１１４を有する。復号部１１２は、プレーンごとに、符号化部１０７で圧縮符号化された符号化データを復号して、変換係数を得る。そして、復号部１１２は、得た変換係数を逆量子化部１１３へと出力する。逆量子化部１１３は、量子化部前記制御部１２０から設定された量子化ステップを用いて、復号部１１２で生成した変換係数を逆量子化し、周波数逆変換部１１４へと出力する。周波数逆変換部１１４は、入力された係数に対して離散ウェーブレット逆変換を行い、周波数帯であるサブバンドから復号画像（４プレーン）を生成し、出力する。
【００２９】
制御部１２０は、撮影モード決定部１２１、記録モード選択肢通知部１２２、記録モード決定部１２３から構成される。そして、操作部１５０、表示部１６０と接続されている。
【００３０】
撮影モード決定部１２１は、操作部を介したユーザの撮影に係る指定条件に従って、撮影モードを決定する。記録モード選択肢通知部１２２は、撮影モード等の条件に応じて、ロスレス記録で選択可能な記録モードの選択肢をユーザに通知する。記録モード決定部１２３は、記録モード選択肢通知部１２２で通知された記録モードの選択肢の中から選択されたユーザの設定指示に従って、記録モードを決定する。撮影モード、および記録モードについて、詳細は後述する。
【００３１】
＜復号処理＞
図３は、実施形態が適用する復号装置の概略構成例を示すブロック図である。なお、この復号装置は、撮像装置に実装されるものとするが、単独の装置であっても構わない。
【００３２】
不図示の操作部から、ユーザによる再生の開始を指示があったことが通知されると、読み出し部３０１は、第一の記録媒体１１０、または第二の記録媒体１１１から、記録された符号化データを読み出し、画像復号部１１６にヘッダ情報と符号化データを出力し、復号画像合成部３０７にヘッダ情報を出力する。
【００３３】
画像復号部１１６は、入力された符号化データを復号し、復号画像を復号画像合成部３０７へ出力する。
【００３４】
復号画像合成部３０７は、読み出し部から通知されたヘッダ情報に基づいて、スイッチ３０２を切り替え、画像復号部１１６から出力された復号画像を、第一のバッファ３０３、または第二のバッファ３０４へ格納させる。
【００３５】
加算器３０５は、第一のバッファ３０３に格納された復号画像と第二のバッファ３０４に格納された復号画像を加算し、合成画像を生成し、スイッチ３０６へと出力する。
【００３６】
スイッチ３０６は、読み出し部から通知されたヘッダ情報（記録モードを示す情報が格納されてる）に基づいて、第一のバッファに格納された画像、または加算器３０５から出力される合成画像のいずれか一方を、復号画像バッファ３０８へと出力する。ここで、記録モード毎の、復号画像合成部３０７の動作について、詳細は後述する。
【００３７】
＜記録モード毎のデータパス＞
次に、記録モード毎のデータパスについて、以下に示す。
【００３８】
まずは、符号化装置の入力画像バッファから各記録媒体までのデータパスについて、図４（Ａ），（Ｂ）を参照して説明する。
【００３９】
図４（Ａ）は、第一の記録モードにうおける符号化装置のデータパスを示す概念図である。図４（Ｂ）は、第二の記録モードの、符号化装置のデータパスを示す概念図である。
【００４０】
第一の記録モードは、入力画像をロスレス符号化（可逆符号化）し、第一の記録媒体へと記録するモードである。
【００４１】
図４（Ａ）では、入力画像バッファ１０４からＲＡＷ画像が入力されると、画像符号化部１１５でロスレス符号化され、ＤＲＡＭ１０８へ出力されたのち、記録部１０９はヘッダ情報を付加して第一の記録媒体１１０へ符号化データをファイルとして記録している。
【００４２】
なお、ロスレス符号化であるので、制御部１２０は量子化部１０６に対して量子化ステップ“１”を設定する。
【００４３】
第二の記録モードは、入力画像をロッシー符号化（非可逆符号化）し第一の記録媒体１１０へと記録する。そして、入力画像バッファ１０４に保持されたＲＡＷ画像と、画像復号部１１６の復号画像との差分画像を符号化し、第二の記録媒体１１１に記録する。
【００４４】
図４（Ｂ）にて、入力画像バッファ１０４からＲＡＷ画像が入力されると、画像符号化部１１５はＲＡＷ画像データをロッシー符号化し、ＤＲＡＭ１０８へ出力する。そして、記録部１０９はヘッダ情報を付加して第一の記録媒体１１０へ符号化データをファイルとして記録する。また、画像符号化部１１５でロッシー符号化されたデータを画像復号部１１６で復号し、入力画像バッファ１０４に保持されたＲＡＷ画像と画像復号部１１６の復号画像との差分画像を画像符号化部１１５で符号化し、ＤＲＡＭ１０８へ出力する。記録部１０９は、ヘッダ情報を付加して第二の記録媒体１１１へ符号化データをファイルとして記録している。なお、２つの記録媒体に別々にファイルとして格納されるが、互いに関連があることを示すように、ファイル名の一部は共通化させておく。また、入力画像バッファ１０４からのＲＡＷ画像データの最初符号化処理では、制御部１２０は、量子化部１０６に対して予め設定された量子化ステップを設定して量子化させる。そして、入力画像バッファ１０４からのＲＡＷ画像データと、復号画像データの差分を符号化する際、制御部１２０は、量子化部１０６に対して量子化ステップ“１”を設定して量子化させる。この結果、２つの記録媒体に記憶された符号化データを合わせて、オリジナルの画像データを復元できる。
【００４５】
次に、復号装置の各記録媒体から復号画像バッファまでのデータパスについて、図５（Ａ），（Ｂ）を参照し、以下に説明する。図５（Ａ）は、第一の記録モードの、復号装置のデータパスを示す概念図である。図５（Ｂ）は、第二の記録モードの、復号装置のデータパスを示す概念図である。
【００４６】
まず、図５（Ａ）を参照して、第一の記録媒体１１０に記録されたロスレス符号化された符号化データの復号処理を説明する。
【００４７】
読み出し部３０１は、第一の記録媒体１１０から符号化データを読み出し、ヘッダ情報と符号化データを画像復号部１１６へと出力し、ヘッダ情報を復号画像合成部３０７へと出力する。
【００４８】
画像復号部１１６は、入力された符号化データを復号し、復号画像合成部３０７へと出力する。復号画像合成部３０７は、ヘッダ情報内に第一の記録モードを示す情報を検出すると、スイッチ３０２を第一のバッファ３０３に接続する。この結果、復号画像（４プレーン）は第一のバッファ３０３に格納される。また、復号画像合成部３０７は、ヘッダ情報内に第一の記録モードを示す情報あることに応じて、スイッチ３０６を、第一のバッファ３０３に接続する。この結果、第一のバッファ３０３に格納された復号画像は復号画像バッファ３０８へと出力される。
【００４９】
次に、図５（Ｂ）を参照して、第一の記録媒体１１０に記録されたロッシー符号化された符号化データと、第二の記録媒体１１１に記録された差分画像の符号化データの復号処理から、画像の復元処理を説明する。
【００５０】
まず、読み出し部３０１は、第一の記録媒体１１０から符号化データを読み出し、ヘッダ情報と符号化データを画像復号部１１６へと出力し、ヘッダ情報を復号画像合成部３０７へと出力する。復号画像合成部３０７は、ヘッダ情報内に第二の記録モードを示す情報を検出すると、スイッチ３０２を第一のバッファ３０３に接続する。この結果、画像復号部１１６は、復号画像を、第一のバッファ３０３に格納することになる。そして、この第一のバッファ３０３への画像の格納を終えたことに応じて、画像復号部１１６は、読み出し部３０１に対して、差分画像の符号化データの読み出しを指示する。これを受け、読み出し部３０１は、第二の記録媒体１１１から符号化データを読み出し、ヘッダ情報と符号化データを画像復号部１１６へと出力し、ヘッダ情報を復号画像合成部３０７へと出力する。復号画像合成部３０７は、読み出し部３０１から入力したヘッダ情報に基づき、スイッチ３０２を、今度は、第二のバッファ３０４に接続させる。したがって、画像復号部１１６は、第二の記録媒体１１１から読み出した符号化データ（差分画像の符号化データ）の復号結果を、第二のバッファ３０４に格納することになる。復号画像合成部３０７は、第一のバッファ３０３への画像データの格納と、第二のバッファ３０４への差分画像データの格納が完了したとき、スイッチ３０６を加算器３０５に接続させる。そして、復号画像合成部３０７は、第一のバッファ３０３に格納された画像データ（４プレーン）と、第二のバッファ３０４に格納された差分画像データ（４プレーン）を同時に読み出し、加算器３０５により画素単位に加算させ、加算後の合成画像を復号バッファ３０８に出力する。なお、加算する２つのプレーンは互いに同じ色成分のプレーンである。
【００５１】
＜撮影モード決定処理＞
次に、実施形態における撮影モード決定部１２１の決定処理を図６のフローチャートにしたがって説明する。本実施形態では、「動画モード」、「静止画連写コマ速保証モード」、「静止画連写コマ速非保証モード」、「静止画単写モード」の４つの撮影モードを決定する処理を一例として示す。各撮影モードの定義は、以下の通りである。
・動画モード
このモードは、所定のフレームレートで撮像し、動画として記録する撮影モードである。
・静止画連写コマ速保証モード
このモードは、静止画を連写で記録し、コマ速やバースト記録の枚数を保証する撮影モードである。
・静止画連写コマ速非保証モード
このモードは、静止画を連写で記録し、コマ速やバースト記録の枚数を保証しない撮影モードである。
・静止画単写モード
このモードは、静止画を単写で記録するモードである。
【００５２】
Ｓ６０１にて、撮影モード決定部１２１は、操作部１５０より、ユーザが入力した設定情報を取得する。設定情報には、ユーザが撮影設定を動画記録、静止画記録のどちらを選択したかを示す撮影設定情報、静止画記録の場合は、連続撮影、一枚撮影のどちらを選択したかを示す連写設定情報、さらには、静止画連続撮影時に、コマ速を優先させるのか、画質を優先させるのかのどちらを選択したかを示す連写時優先設定情報が含まれる。
【００５３】
Ｓ６０２にて、撮影モード決定部１２１は、撮影設定情報に基づき、ユーザが動画記録を選択したのか否かを判定する。動画記録が選択されている場合は、撮影モード決定部１２１は処理をＳ６０３へ、そうでない場合は、処理をＳ６０４へ分岐する。
【００５４】
Ｓ６０３にて、撮影モード決定部１２１は、撮影モードを動画モードとして決定し、処理を終了する。
【００５５】
Ｓ６０４にて、撮影モード決定部１２１は、連写設定情報に基づき、ユーザが連続撮影を選択したか否かを判定する。連続撮影が選択されている場合、撮影モード決定部１２１は処理をＳ６０５へ、そうでなければ処理をＳ６０８へ分岐する。
【００５６】
Ｓ６０５にて、撮影モード決定部１２１は、連写時優先設定情報に基づき、ユーザがコマ速を優先することを選択したか否かを判定する。コマ速優先が選択されている場合、撮影モード決定部１２１は処理をＳ６０６へ、そうでなければ処理をＳ６０７へ分岐する。
【００５７】
Ｓ６０６にて、撮影モード決定部１２１は、撮影モードを静止画連写コマ速保証モードとして決定し、本処理を終了する。Ｓ６０７にて、撮影モード決定部１２１は、撮影モードを静止画連写コマ速非保証モードとして決定し、本処理を終了する。また、Ｓ６０８にて、撮影モード決定部１２１は、撮影モードを静止画単写モードとして決定し、本処理を終了する。
【００５８】
＜記録モード決定処理＞
次に、記録モード選択肢通知部１２２の処理を、図７を参照して説明する。この処理は、上記の撮影モード決定部１２１の処理結果に従うものである。
【００５９】
Ｓ７０１にて、記録モード選択肢通知部１２２は、撮影モードとして、静止画記録が選択されているか否かを判定する。静止画記録が選択されていると判定した場合、記録モード選択肢通知部１２２は処理をＳ７０２へ、そうでなければ処理をＳ７０５へ分岐する。
【００６０】
Ｓ７０２にて、記録モード選択肢通知部１２２は、撮影モードとして連続撮影が選択されているか否かを判定する。連続撮影が選択されていると判定した場合、記録モード選択肢通知部１２２は処理をＳ７０３へ、そうでなく、１枚の静止画の撮影の場合には処理をＳ７０４へ分岐する。
【００６１】
Ｓ７０３にて、記録モード選択肢通知部１２２は、連写撮影にてコマ速優先が選択されているか否かを判定する。コマ速優先が選択されていると判定した場合、記録モード選択肢通知部１２２場合は処理をＳ７０５へ、そうでなければ処理をＳ７０４へと分岐する。
【００６２】
Ｓ７０４にて、記録モード選択肢通知部１２２では、ロスレス記録時の記録モードの選択肢を第一の記録モードと第二の記録モードに決定する。Ｓ７０５にて、記録モード選択肢通知部１２２では、ロスレス記録時の記録モードの選択肢を第二の記録モードに決定する。そして、記録モード選択肢通知部１２２は、決定した選択肢をユーザに通知し、ユーザに確認させる。また、複数の選択肢がある場合には、ユーザにそのいずれか一つを選択させる。
【００６３】
ここで、本実施形態で定義する、「動画モード」、「静止画連写コマ速保証モード」、「静止画連写コマ速非保証モード」、「静止画単写モード」の４つの撮影モードに対する、記録モードの選択肢は以下の通りとなる。「動画モード」、「静止画連写コマ速保証モード」の場合、記録モードの選択肢は第二の記録モードとなる。一方、「静止画連写コマ速非保証モード」、「静止画単写モード」の場合、記録モードの選択肢は第一の記録モードと第二の記録モードとなる。
【００６４】
図８は、本実施形態における表示部１６０に表示されるユーザインタフェース（メニュー画面）の一例を示す概念図である。このユーザインタフェースは、制御部１２０の制御下にて、撮像装置が有する不図示の表示画面に表示されるものである。
【００６５】
図８（Ａ）は、「静止画単写モード」におけるユーザインタフェースを示している。図８（Ｂ）は、「動画モード」におけるユーザインタフェースを示している。
【００６６】
図８（Ａ）では、撮影設定は静止画、連写設定は一枚記録が設定されている。ユーザが画質設定を選択すると、画質の選択画面が出力される。ユーザがロスレス記録の設定をすると、記録モードの選択画面が出力される。ここでは、第一の記録モードと第二の記録モードが選択肢として出力されている。ユーザは、これらの選択肢から記録モードを選択することができる。
【００６７】
図８（Ｂ）では、撮影設定は動画、連写設定は設定がない。ユーザが画質設定を選択すると、画質の選択画面が出力される。ユーザがロスレス記録の設定をすると、記録モードの選択画面が出力される。ここでは、第二の記録モードのみが選択肢として出力されている。つまり、ユーザは、第二の記録モードしか記録モードを選択することができない。
【００６８】
上記の通り、「動画モード」、「静止画連写コマ速保証モード」の場合、１つの記録媒体への記録が集中すると、単位時間当たりの撮影処理で得られるデータ量（画像データ量）が、記録媒体への記録速度を超過する可能性が高くなるため、２つの記録媒体への分散を行うことになる。
【００６９】
以上のように、撮影モードに応じて、ＲＡＷ画像の損失の無い符号化データの記録モードの選択肢をユーザに通知することが出来、ユーザが記録モードを選択可能な符号化装置を提供することができる。
【００７０】
上記第１の実施形態では、制御部１２０と撮像装置１００とを分離して説明したが、撮像部１００における幾つかの処理部の機能を、制御部１２０によるプログラムの実行にいって実現させても構わない。
【００７１】
［第２の実施形態］
本第２の実施形態の特徴は、記録モード選択肢通知部２０２における、記録モードの選択肢決定方法にある。そして、記録モード選択肢通知部２０２は、撮影モードに加えて、符号化装置に入力されるＲＡＷ画像のデータレートに応じて、記録モードの選択肢を出力する。他の構成については、第１の実施形態と同じであるものとし、その説明は省略する。
【００７２】
本第２の実施形態における記録モード選択肢通知部１２２の処理を、図９のフローチャートを参照して以下に説明する。
【００７３】
Ｓ９０１にて、記録モード選択肢通知部１２２は、撮影モードとして、静止画記録が選択されているかどうかを判定する。静止画記録が選択されていると判定した場合、記録モード選択肢通知部１２２は処理をＳ９０２へ、そうでなければ処理をＳ９０５へ分岐する。
【００７４】
Ｓ９０２にて、記録モード選択肢通知部１２２は、連続撮影が選択されているどうか判定する。連続撮影が選択されていると判定した場合、記録モード選択肢通知部１２２は処理をＳ９０３へ、そうでなければ処理をＳ９０４へ分岐する。
【００７５】
Ｓ９０３にて、記録モード選択肢通知部１２２は、撮影モードの連写ではコマ速優先が選択されているか否かを判定する。コマ速優先が選択されていると判定した場合、記録モード選択肢通知部１２２は処理をＳ９０５へ、そうでなければ処理をＳ９０４へ分岐する。
【００７６】
Ｓ９０４にて、記録モード選択肢通知部１２２は、ロスレス記録時の記録モードの選択肢として、第一の記録モードと第二の記録モードに決定する。
【００７７】
Ｓ９０５にて、記録モード選択肢通知部１２２は、データレートを算出する。データレートは、画像の解像度と、各画素のＢｉｔ深度、所定期間あたりの入力枚数（動画：フレームレート、静止画：コマ速）の各値を乗じて、算出することが出来る。
【００７８】
Ｓ９０６にて、記録モード選択肢通知部１２２は、算出したデータレートと、予め設定された閾値Ｔｈとを比較することで、大小判定を行う。この閾値Ｔｈは、第一の記録媒体１１０に単位時間当たりに転送可能なデータ量である。データレートが閾値より大きいと判定した場合、記録モード選択肢通知部１２２は処理をＳ９０７へ進める。また、データレートが閾値以下であると判定した場合、記録モード選択肢通知部１２２は、処理をＳ９０４へ分岐する。Ｓ９０７にて、記録モード選択肢通知部１２２は、ロスレス記録時の記録モードの選択肢を第二の記録モードに決定する。
【００７９】
本第２の実施形態における「動画モード」、「静止画連写コマ速保証モード」、「静止画連写コマ速非保証モード」、「静止画単写モード」の４つの撮影モードに対する、記録モードの選択肢は以下の通りとなる。
【００８０】
「動画モード」、「静止画連写コマ速保証モード」の場合、かつデータレートが閾値Ｔｈより大きい場合は、記録モードの選択肢は第二の記録モードとなる。一方、「静止画連写コマ速非保証モード」、「静止画単写モード」の場合、または、「動画モード」、「静止画連写コマ速保証モード」、かつデータレートが閾値Ｔｈ以下の場合は、記録モードの選択肢は第一の記録モードと第二の記録モードとなる。
【００８１】
このようにすることで、解像度が小さい、各画素のＢｉｔ深度が少ない、所定期間あたりの入力枚数が少ない場合など、撮影モードが「動画モード」や「静止画連写コマ速保証モード」であっても、第一の記録媒体に書き込み可能な場合は、記録モードの選択肢を第一の記録モードと第二の記録モードとすることができる。
【００８２】
以上のようにすることで、解像度や、各画素のＢｉｔ深度、所定期間あたりの入力枚数などの設定に応じて、ユーザにＲＡＷ画像の損失の無い符号化データの記録モードの選択肢をより多く提供可能な符号化装置を提供することが出来る。
【００８３】
［第３の実施形態］
本第３の実施形態は、記録モード選択肢通知部１２２における記録モードの選択肢に、第三の記録モードが追加され、条件に応じて第一の記録モード、第二の記録モード、第三の記録モードの中から、ユーザが選択可能な選択肢を出力する例を説明する。装置構成は、第１の実施形態と同じであるものとする。
【００８４】
まず、図１０、図１１を用いて、第三の記録モードについて説明する。図１０は、第三の記録モードの、符号化装置のデータパスを示す概念図である。図１１は、第三の記録モードの、復号装置のデータパスを示す概念図である。
【００８５】
図１０は、第１の実施形態の第二の記録モードの符号化装置（図４（Ｂ））のデータパスに対する変形例を示している。以下、図４（Ｂ）との差分について説明する。
【００８６】
第二の記録モードに対して異なるには、第三の記録モードにおける記録部１０９の処理である。他のブロックの処理は同じである。
【００８７】
第三の記録モードにおいて、記録部１０９は、入力画像バッファ１０４から入力されたＲＡＷ画像データをロッシー符号化し、ＤＲＡＭ１０８に出力された符号化データに、ヘッダ情報を付加して第一の記録媒体１１０へ符号化データを記録する。そして、入力画像バッファ１０４に保持されたＲＡＷ画像と、画像復号部１１６の復号画像との差分画像の符号化データがＤＲＡＭ１０８に出力された場合、記録部１０９はその符号化データ（差分符号化データ）に、ヘッダ情報を付加して、第一の記録媒体１１０へファイルとして記録する。
【００８８】
次に、第三の記録モードでの記録された画像の復号処理を、図１１を参照して説明する。この第三の記録モードで記録された符号化データの復号処理と、第二の記録モードのそれとの違いは、読み出し部３０１の処理だけである。すなわち、第三の記録モードの復号処理において、読み出し部３０１は、ロッシー符号化データと差分画像符号化データをともに、第一の記録媒体１１０から読み出すものである。
【００８９】
第３の実施形態において、ユーザは、ロッシー符号化データだけでは画質が不十分な場合は、ロッシー符号化データと差分画像符号化データを用いて損失の無いＲＡＷ画像を扱うことができる。一方、ロッシー符号化データだけで十分な画質を得ることが出来る場合は、確認後、差分画像符号データを破棄し、データ量を削減することが可能となる。
【００９０】
本第３の実施形態における、記録モード選択肢通知部１２２の処理を図１２のフローチャートに従って説明する。
【００９１】
Ｓ１２０１にて、記録モード選択肢通知部１２２は、撮影モードとして、静止画記録が選択されているか否かを判定する。静止画記録が選択されていると判定した場合、記録モード選択肢通知部１２２は、処理をＳ１２０２へ、そうでなければ処理をＳ１２０５へと分岐する。
【００９２】
Ｓ１２０２にて、記録モード選択肢通知部１２２は、静止画の撮影モードとして連続撮影が選択されているどうかを判定する。連続撮影が選択されていると判定した場合、記録モード選択肢通知部１２２は処理をＳ１２０３へ、そうでなければ処理をＳ１２０４へ分岐する。
【００９３】
Ｓ１２０３にて、記録モード選択肢通知部１２２は、静止画連写時にコマ速優先が選択されているか否かを判定する。コマ速優先が選択されている場合、記録モード選択肢通知部１２２は処理をＳ１２０５へ、そうでなければ処理をＳ１２０４へ分岐する。
【００９４】
Ｓ１２０４にて、記録モード選択肢通知部１２２は、ロスレス記録時の記録モードの選択肢として、第一の記録モード、第二の記録モード、第三の記録モードを決定する。また、Ｓ１２０５にて、記録モード選択肢通知部１２２は、ロスレス記録時の記録モードの選択肢を第二の記録モードに決定する。
【００９５】
「動画モード」、「静止画連写コマ速保証モード」、「静止画連写コマ速非保証モード」、「静止画単写モード」の４つの撮影モードに対する、本第３の実施形態における記録モードの選択肢は以下の通りとなる。
【００９６】
「動画モード」、「静止画連写コマ速保証モード」の場合、記録モードの選択肢は第二の記録モードとなる。
【００９７】
一方、「静止画連写コマ速非保証モード」、「静止画単写モード」の場合、記録モードの選択肢は第一の記録モードと第二の記録モードと第三の記録モードとなる。
【００９８】
本第３の実施形態におけるユーザインタフェースの例を図１３（Ａ），（Ｂ）を参照して説明する。
【００９９】
図１３（Ａ）は、「静止画単写モード」におけるユーザインタフェースを示している。また、図１３（Ｂ）は、「動画モード」におけるユーザインタフェースを示している。
【０１００】
図１３（Ａ）では、撮影設定は静止画、連写設定は一枚記録が設定されている。ユーザが画質設定を選択すると、画質の選択画面が出力される。ユーザがロスレス記録の設定をすると、記録モードの選択画面が出力される。ここでは、第一の記録モードと第二の記録モードと第三の記録モードが選択肢として出力されている。ユーザは、これらの選択肢から記録モードを選択することができる。
【０１０１】
また、図１３（Ｂ）の場合、撮影設定は動画、連写設定は設定がない。ユーザが画質設定を選択すると、画質の選択画面が出力される。ユーザがロスレス記録の設定をすると、記録モードの選択画面が出力される。ここでは、第二の記録モードのみが選択肢として出力されている。ユーザは、第二の記録モードしか記録モードを選択することができない。
【０１０２】
以上のように、本第３の実施形態によれば、ＲＡＷ画像の損失の無い符号化データの記録モードの選択肢に、新たに第三の記録モードを追加することが出来、ユーザが記録モードを、より幅広い選択肢の中から選択可能な符号化装置を提供することができる。
【０１０３】
［第４の実施形態］
本第４の実施形態は、記録部１０９におけるヘッダ情報の生成処理について説明する。上記実施形態における第二の記録モードにおいて、入力画像バッファ１０４に保持されたＲＡＷ画像と画像復号部１１６の復号画像が同一である場合、差分画像が表す各画素値はゼロとなる。
【０１０４】
本第４の実施形態における記録部１０９は、第二の記録モードであり、かつ差分画像がゼロの場合、ロッシー符号化データは、第一の記録モードで生成するロスレス符号化データと同一となることに鑑み、ロッシー符号化データのヘッダ情報は、第一の記録モードの場合と同じになるようにする。その他のブロックについては第１の実施形態と同様の構成である。
【０１０５】
図１４は、記録部１０９におけるヘッダ情報の生成処理のフローチャートである。
【０１０６】
Ｓ１４０１にて、記録部１０８は、ユーザが選択した記録モードが第一の記録モードかどうかを判定する。第一の記録モードが選択されていると判定された場合、記録部１０９は処理をＳ１４０２へ、そうでなければ処理をＳ１４０３へ分岐する。
【０１０７】
Ｓ１４０２にて、記録部１０９は、第一の記録モード時の処理を実施する。ヘッダの属性情報をロスレス記録とし、符号化データとともに第一の記録媒体へと記録する。
【０１０８】
Ｓ１４０３にて、記録部１０９は、入力画像と復号画像に差異があるかどうかを判定する。具体的には、入力画像の全プレーンと、復号画像の全プレーン間について、差異があるか否かが判定される。記録部１０９は、差異有りと判定した場合には処理をＳ１４０２へ、差異無しと判定した場合は処理をＳ１４０４へ分岐する。
【０１０９】
Ｓ１４０４にて、記録部１０９は、第二の記録モード時の処理を実施する。ヘッダの属性情報をロッシー符号化とし、ロッシー符号化データとともに第一の記録媒体１１０へと記録する。そして、記録部１０９は、差分画像の符号化データについては、ヘッダの属性情報を差分であることを示す情報を格納し、差分符号化データとともに第二の記録媒体１１１へと記録する。
【０１１０】
ロッシー符号化を、例えば動画で一般的に適用される、所定のビットレートを守るような符号量制御によって実現している場合、入力されるＲＡＷ画像の難易度が低いと、量子化なしでも十分ビットレートの要求を満たす可能性がある。その場合、入力画像と復号画像に差異がなくなる。
【０１１１】
以上のようにすることで、ユーザがＲＡＷ画像の損失の無い符号化データの記録モードの選択肢に第二の記録モードを選択した場合でも、入力画像と復号画像に差異がない場合は、ロッシー符号化データは、第一の記録モードで生成するロスレス符号化データと同一となるため、ロッシー符号化データのヘッダ情報は、第一の記録モードの場合と同じにすることが出来、よりデータの取り回しが良い符号化装置を提供することが出来る。
【０１１２】
［第５の実施形態］
図１５は、本第５の実施形態の撮像装置１００のブロック構成図である。第１の実施形態の構成（図１）と異なる点は、制御部１２０に記録媒体判定部１５０１が追加された点と、記録媒体判定部１５０１による判定結果に基づく記録モード選択肢通知部１２２の処理にある。他のブロックについては第１の実施形態と同じであるので、以下では、記録媒体判定部１５０１による判定と、その判定に基づく記録モード選択肢通知部１２２の処理について説明する。
【０１１３】
記録媒体判定部１５０１は、記録媒体の挿入状況を記録モード選択肢通知部１２２へと通知する。実施形態の場合、記録媒体判定部１５０１は、第一の記録媒体の有無、第二の記録媒体の有無を記録モード選択肢通知部１２２に通知する。
【０１１４】
記録モード選択肢通知部１２２は、撮影モード判定部１２１から通知される情報に加えて、記録媒体判定部１５０１から通知される情報を用いて、記録モードの選択肢をユーザに通知する。
【０１１５】
本第５の実施形態における記録モード選択肢通知部１２２の処理を、図１６を参照して以下に説明する。
【０１１６】
Ｓ１６０１にて、記録モード選択肢通知部１２２は、撮影モードとして静止画記録が選択されているか否かを判定する。静止画記録が選択されていると判定した場合、記録モード選択肢通知部１２２は処理をＳ１６０２へ、そうでなければ（動画記録の場合）、処理をＳ１６０７へと分岐する。
【０１１７】
Ｓ１６０２にて、記録モード選択肢通知部１２２は、連続撮影が選択されているどうかを判定する。連続撮影が選択されていると判定された場合、記録モード選択肢通知部１２２は処理をＳ１６０３へ、そうでなければ処理をＳ１６０４へ分岐する。
【０１１８】
Ｓ１６０３にて、記録モード選択肢通知部１２２は、連写時のコマ速優先が選択されているか否かを判定する。コマ速優先が選択されていると判定した場合、記録モード選択肢通知部１２２は処理をＳ１６０７へ、そうでなければ処理をＳ１６０４へと分岐する。
【０１１９】
Ｓ１６０４にて、記録モード選択肢通知部１２２は、複数の記録媒体が本装置に挿入されているかどうかを判定する。本第５の実施形態の場合、記録媒体の挿入スロットが２つある場合を想定しているので、第一の記録媒体１１０と第二の記録媒体１１１の両方とも挿入されているかどうかを判定する。複数の記録媒体が挿入されていると判定された場合、記録モード選択肢通知部１２２は処理をＳ１６０５へ、そうでなければ処理をＳ１６０６へ分岐する。
【０１２０】
Ｓ１６０５にて、記録モード選択肢通知部１２２は、ロスレス記録時の記録モードの選択肢として、第一の記録モード、第二の記録モードを決定する。
【０１２１】
Ｓ１６０６にて、記録モード選択肢通知部１２２は、ロスレス記録時の記録モードの選択肢を第一の記録モードに決定する。
【０１２２】
Ｓ１６０７にて、記録モード選択肢通知部１２２は、Ｓ１６０４と同様、複数の記録媒体が挿入されているかどうかを判定する。複数の記録媒体が挿入されていると判定された場合、記録モード選択肢通知部１２２は処理をＳ１６０８へ、そうでなければ処理をＳ１６０９へ分岐する。
【０１２３】
Ｓ１６０８にて、記録モード選択肢通知部１２２は、ロスレス記録時の記録モードの選択肢を第二の記録モードに決定する。
【０１２４】
Ｓ１６０９にて、記録モード選択肢通知部１２２は、ロスレス記録時の記録モードの選択肢を選択肢無しとする。選択肢が無いので、制御部１２０は、記録が行えない旨のエラーメッセージ、もしくは、記録媒体の数が不足する、もしくは記録媒体を追加で装着する旨のメッセージを表示し、撮像処理に移行しないようにする。
【０１２５】
実施形態の場合における、「動画モード」、「静止画連写コマ速保証モード」、「静止画連写コマ速非保証モード」、「静止画単写モード」の４つの撮影モードに対する、記録モードの選択肢は以下の通りとなる。
【０１２６】
「動画モード」、「静止画連写コマ速保証モード」かつ複数の記録媒体が挿入されている場合、記録モードの選択肢は第二の記録モードとなる。
【０１２７】
「動画モード」、「静止画連写コマ速保証モード」かつ複数の記録媒体が挿入されていない場合、記録モードの選択肢は選択肢無しとなる。
【０１２８】
一方、「静止画連写コマ速非保証モード」、「静止画単写モード」かつ複数の記録媒体が挿入されている場合、記録モードの選択肢は第一の記録モードと第二の記録モードとなる。
【０１２９】
また、「静止画連写コマ速非保証モード」、「静止画単写モード」かつ複数の記録媒体が挿入されていない場合、記録モードの選択肢は第一の記録モードとなる。
【０１３０】
このように、記録媒体が複数挿入されていない場合は、第二の記録モードでは記録できないため、記録モードの選択肢から第二の記録モードを除外することが出来る。
【０１３１】
以上のようにすることで、装着された記録媒体が１つの場合、複数の記録媒体に記録する記録モードが選択肢から除外されることになる。よって、記録媒体の挿入状況に対応したＲＡＷ画像の損失の無い符号化データの記録モードの選択肢を出力する符号化装置を提供することが出来る。
【０１３２】
なお、画像符号化部は、周波数変換と量子化をバイパス（処理を通さない）することで、入力した差分データを直接符号化し、同様に、画像復号部は、同様に、データを復号した後、逆量子化と逆周波数変換をバイパス（処理を通さない）する構成も、本件の範疇である。
【０１３３】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１３４】
１００…撮像装置、１０１…撮像光学部、１０２…撮像センサ部、１０３…センサ信号処理部、１０４…入力画像バッファ、１０５…周波数変換部、１０６…量子化部、１０７…符号化部、１０８…ＤＲＡＭ、１０９…記録部、１１０…第一の記録媒体、１１１…第二の記録媒体、１２０…制御部、１２１…撮影モード決定部、１２２…記録モード選択肢通知部、１２３…記録モード決定部
【図１】
2020077918.tif 000003
【図２】
2020077918.tif 000004
【図３】
2020077918.tif 000005
【図４】
2020077918.tif 000006
【図５】
2020077918.tif 000007
【図６】
2020077918.tif 000008
【図７】
2020077918.tif 000009
【図８】
2020077918.tif 000010
【図９】
2020077918.tif 000011
【図１０】
2020077918.tif 000012
【図１１】
2020077918.tif 000013
【図１２】
2020077918.tif 000014
【図１３】
2020077918.tif 000015
【図１４】
2020077918.tif 000016
【図１５】
2020077918.tif 000017
【図１６】
2020077918.tif 000018